(57)【要約】【課題】互いに結合される一対のケースを備え、外観不良を防止できる電子機器を提供する。【解決手段】互いに結合される第１のケース２１及び第２のケース２２と、側縁の少なくとも一部に該側縁に沿う第１の方向Ｘに沿って延びるフレームリブ７３を有するフレーム部材７０と備える電子機器であって、フレームリブ７３の少なくとも一部には、第１の方向Ｘと略垂直な第２の方向Ｙであって、電子機器の外側方向に凸に形成される凸部７２が形成されており、第１のケース２１には、凸部７２に対応した位置に、肉厚が薄くなされた肉盗み部２６が設けられ、第２のケース２２における第１のケース２１と対向する部位の少なくとも一部には、第１のケース２１に向けて起立する規制リブ２５が設けられ、規制リブ２５が凸部７２の内側に配置されると共に凸部７２が肉盗み部２６の内側に配置された状態で、第１のケース２１と第２のケース２２とが結合される。【選択図】図１０
2009182553.tif 000002
【特許請求の範囲】
【請求項１】
互いに結合される第１のケース及び第２のケースと、
側縁の少なくとも一部に該側縁に沿う第１の方向に沿って延びるフレームリブを有するフレーム部材と備える電子機器であって、
前記フレームリブの少なくとも一部には、前記第１の方向と略垂直な第２の方向であって、電子機器の外側方向に凸に形成される凸部が形成されており、
前記第１のケースには、前記凸部に対応した位置に、肉厚が薄くなされた肉盗み部が設けられ、
前記第２のケースにおける前記第１のケースと対向する部位の少なくとも一部には、該第１のケースに向けて起立する規制リブが設けられ、
前記規制リブが前記凸部の内側に配置されると共に該凸部が前記肉盗み部の内側に配置された状態で、前記第１のケースと前記第２のケースとが結合される電子機器。
【請求項２】
前記フレーム部材に積層される第１構成部品を更に有し、
前記フレームリブは、前記第１構成部品側に起立する請求項１に記載の電子機器。
【請求項３】
前記フレーム部材における前記第１構成部品が位置する側に積層する第１回路基板を更に有し、
前記第１構成部品と前記第１回路基板とは、前記フレーム部材を所定方向側から平面視した状態において互いに重なることなく配列している請求項２に記載の電子機器。
【請求項４】
前記第１構成部品はバッテリである請求項２または３に記載の電子機器。
【請求項５】
前記フレーム部材は、前記第１回路基板に実装された電子部品を覆うシールドケースからなる請求項１から４の何れか１項に記載の電子機器。
【発明の詳細な説明】
【技術分野】
【０００１】
本発明は、携帯電話機などの電子機器に関する。
【背景技術】
【０００２】
携帯電話機においては、一般的に、対向する一対のフロントケースとリアケースとが結合されてなる筐体ケースの内部に、電子部品が実装された回路基板、回路基板に実装された電子部品からのノイズ等を遮断するためのシールドケース、電源となるバッテリなどの複数の筐体構成部品が収納されている（例えば、下記特許文献１参照）。フロントケースとリアケースとの結合は、主として数カ所のネジ締結によって行われ、ネジ締結を行うことができない箇所には、フロントケース及びリアケースそれぞれに外側向けの爪又は内側向けの爪を設け、両爪を係合させて、両ケースの結合を補強している（例えば、下記特許文献２参照）。
【０００３】
前述の爪を係合させる構造では、内側向けの爪を備えたケースが広がった場合などにおいて、両ケースが対向する方向と直交する方向（以下「対向面方向」ともいう）に、爪の係合が外れることがある。この爪の係合が外れる現象を防止するために、内側向けの爪を有するケースに、内側向けの爪の内側にリブ（以下「規制リブ」ともいう）を設け、この規制リブを、他方のケースの内壁に当接させた構造を採用することにより、爪の係合が外れる前記現象を防止する技術が知られている。
【０００４】
また、両ケースにおける爪が設けられていない箇所においても同様に、両ケースに対向面方向のズレが生じ、両ケースの合わせ面に段差が生じる等の外観不良が発生しないように、一方のケースに前述の規制リブを設け、この規制リブを他方のケースの内壁に当接させた構造を採用している場合がある。
【０００５】
【特許文献１】特開２００４−５４６６１号公報
【特許文献２】特開２００１−３３２８７３号公報
【発明の開示】
【発明が解決しようとする課題】
【０００６】
ところで、携帯電話機においては、その筐体の小型化（特に狭幅化）及び薄型化が一層求められている。携帯電話機の筐体構成部品において一般的に最も幅の広い部品は、バッテリである。従って、筐体ケースの幅狭化が最も困難な部分は、バッテリが配置された部分である。
【０００７】
また、筐体の薄型化を図る場合、シールドケースの側縁などに補強リブを設け、シールドケースの剛性を向上させることによって、筐体の剛性（強度）を確保することが行われる。
筐体において、このような幅狭化及び薄型化を図ると共に、規制リブを設ける場合には、バッテリが配置された部分において、規制リブ、補強リブ及びケースの側壁が重なることになり、その結果、筐体の幅狭化が阻害される。
【０００８】
一方、バッテリが配置された部分において、規制リブや補強リブを省略して、筐体の幅狭化を図ることが考えられる。
しかし、規制リブを省略した場合には、両ケースの合わせ面に段差が生じる等の前記外観不良が発生しやすくなる。また、補強リブを省略した場合には、シールドケースの剛性の低下、延いては筐体全体の剛性が低下する。
【０００９】
このような問題点は、携帯電話機以外の携帯電子機器にも生じる場合があり、また携帯電子機器以外の電子機器においても生じる場合がある。
【００１０】
従って、本発明は、互いに結合される一対のケースを備えた電子機器において、外観不良を防止することができる電子機器を提供することを目的とする。
【課題を解決するための手段】
【００１１】
本発明は、互いに結合される第１のケース及び第２のケースと、側縁の少なくとも一部に該側縁に沿う第１の方向に沿って延びるフレームリブを有するフレーム部材と備える電子機器であって、前記フレームリブの少なくとも一部には、前記第１の方向と略垂直な第２の方向であって、電子機器の外側方向に凸に形成される凸部が形成されており、前記第１のケースには、前記凸部に対応した位置に、肉厚が薄くなされた肉盗み部が設けられ、前記第２のケースにおける前記第１のケースと対向する部位の少なくとも一部には、該第１のケースに向けて起立する規制リブが設けられ、前記規制リブが前記凸部の内側に配置されると共に該凸部が前記肉盗み部の内側に配置された状態で、前記第１のケースと前記第２のケースとが結合される電子機器に関する。
【００１２】
前記フレーム部材に積層される第１構成部品を更に有し、前記フレームリブは、前記第１構成部品側に起立することが好ましい。
【００１３】
また、前記フレーム部材における前記第１構成部品が位置する側に積層する第１回路基板を更に有し、前記第１構成部品と前記第１回路基板とは、前記フレーム部材を所定方向側から平面視した状態において互いに重なることなく配列していることが好ましい。
【００１４】
また、前記第１構成部品はバッテリであることが好ましい。
【００１５】
また、前記フレーム部材は、前記第１回路基板に実装された電子部品を覆うシールドケースからなることが好ましい。
【発明の効果】
【００１６】
本発明の電子機器によれば、互いに結合される一対のケースを備えた電子機器において、外観不良を防止することができる。
【発明を実施するための最良の形態】
【００１７】
以下、本発明を実施するための好ましい一実施形態について、図面を参照しながら説明する。まず、本発明の電子機器の一実施形態である携帯電話機１の基本構造について、図１及び図２を参照しながら説明する。
【００１８】
図１は、本発明の一実施形態の携帯電話機１について、操作部側筐体２と表示部側筐体３とを開いた状態で示す斜視図である。図２は、図１に示す携帯電話機１を折り畳んだ状態で表示部側筐体３のリアケース３０ｂ側から視た斜視図である。
【００１９】
本実施形態における携帯電話機１は、図１及び図２に示すように、折り畳み型の携帯電話機１であり、略直方体形状の操作部側筐体２と、略直方体形状の表示部側筐体３と、操作部側筐体２と表示部側筐体３とを連結する連結部４と、を備える。
【００２０】
操作部側筐体２の上端部と表示部側筐体３の下端部とは、連結部４を介して開閉可能に連結されている。つまり、連結部４は、表示部側筐体３と操作部側筐体２とを開閉軸Ｐを中心に開閉可能に連結している。
携帯電話機１は、連結部４を介して連結された操作部側筐体２と表示部側筐体３とを相対的に回転（回動）することにより、操作部側筐体２と表示部側筐体３とを互いに開いた状態（開放状態）にしたり、操作部側筐体２と表示部側筐体３とを折り畳んだ状態（折畳み状態）にすることができる。
【００２１】
次に、表示部側筐体３の詳細について説明する。表示部側筐体３は、図１及び図２に示すように、その外面が、フロントケース３０ａ及びリアケース３０ｂを主体として構成される。
【００２２】
表示部側筐体３の前面３ａは、フロントケース３０ａ及びキャップ３３を主体として構成されている。前面３ａは、携帯電話機１を折り畳んだ状態で操作部側筐体２と向かい合う面である。表示部側筐体３の背面３ｂは、リアケース３０ｂを主体として構成されている。背面３ｂは、前面３ａとは反対側の面である。
【００２３】
表示部側筐体３内には、各種情報を表示させるメイン液晶モジュール３４が配置されており、メイン液晶モジュール３４は、その一方の面に設けられたメイン表示部３４ａが、透明部分を主体とするキャップ３３を介して、フロントケース３０ａに形成された開口部から表示部側筐体３の前面３ａに露出するように配置されている。
【００２４】
また、フロントケース３０ａには、通話の相手側における音声を出力する音声出力部３１が形成されている。音声出力部３１は、表示部側筐体３の長手方向における連結部４とは反対の端部側に配置される。つまり、音声出力部３１は、携帯電話機１の開状態における表示部側筐体３側の端部近傍に配置される。
【００２５】
表示部側筐体３のリアケース３０ｂ側には、図２に示すように、各種情報を表示させるサブ液晶モジュール３６が配置されており、サブ液晶モジュール３６は、その一方の面に設けられたサブ表示部３６ａが、リアケース３０ｂの透明部分を介して表示部側筐体３の背面３ｂに露出するように配置されている。
【００２６】
メイン液晶モジュール３４及びサブ液晶モジュール３６は、それぞれ、メイン表示部３４ａ及びサブ表示部３６ａを構成する液晶パネル、この液晶パネルを駆動する駆動回路、この液晶パネルの背面側から光を照射するバックライト等の光源部などから構成される。
【００２７】
次に、操作部側筐体２の詳細について、図１から図１０を参照しながら説明する。図３は、図１に示す操作部側筐体２の分解斜視図である。図４は、フロントケース２１とリアケース２２とを分離させて、シールドケース７０の下面７０ｂ側を露出させた状態を示す分解斜視図である。図５（ａ）は、シールドケース７０を下面７０ｂ側から視た斜視図であり、図５（ｂ）は、図５（ａ）に示すＢ矢視図である。図６（ａ）は、フロントケース２１を内面側から視た斜視図であり、図６（ｂ）は、図６（ａ）に示すＢ矢視図である。図７（ａ）は、リアケース２２を内面側から視た斜視図であり、図７（ｂ）は、図７（ａ）に示すＢ矢視図である。
【００２８】
図８は、フロントケース２１にシールドケース７０を組み合わせようとしている状態を示す斜視図である。図９は、シールドケース７０が組み合わされたフロントケース２１に、リアケース２２を組み合わせようとしている状態を示す斜視図である。図１０（ａ）は、規制リブ２５を通るように操作部側筐体２を厚み方向に切断した断面図であり、図１０（ｂ）は、図１０（ａ）の部分拡大図である。図１１（ａ）は、規制リブ２５を通らないように操作部側筐体２を厚み方向に切断した断面図であり、図１１（ｂ）は、図１１（ａ）の部分拡大図である。
【００２９】
本実施形態の携帯電話機１においては、操作部側筐体２は、これを構成する複数の筐体構成部品と、第１のケースであるフロントケース２１と第２のケースであるリアケース２２とが結合されてなり、該筐体構成部品を収納する（操作部側）筐体ケース２０と、を備える。
【００３０】
操作部側筐体２は、図１から図４に示すように、その外面が、フロントケース２１及びリアケース２２を主体として構成されている。フロントケース２１は、操作部側筐体２の前面２ａ側を構成する。操作部側筐体２の前面２ａは、携帯電話機１を折り畳んだ状態で表示部側筐体３と向かい合う面である。リアケース２２は、前面２ａと反対側の面である背面２ｂ側を構成する。
【００３１】
フロントケース２１は、操作キー群１１が前面２ａに露出するように構成されている。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。
【００３２】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００３３】
操作部側筐体２の前面２ａには、携帯電話機１の使用者が通話時に発した音声が入力される音声入力部１２が形成されている。音声入力部１２は、操作部側筐体２の長手方向における連結部４とは反対側の端部近傍に配置される。つまり、音声入力部１２は、携帯電話機１の開状態において長手方向の一方の端部側に配置される。
【００３４】
操作部側筐体２は、図３及び図４に示すように、第１回路基板である主回路基板８０と、フレーム部材である縦長のシールドケース７０と、キー基板６０と、キー部材５０と、第１構成部品であるバッテリＱとを備えている。
主回路基板８０の上面８０ａ側（操作部側筐体２の前面２ａ側）及び下面８０ｂ側（操作部側筐体２の背面２ｂ側）には複数の電子部品８１が実装されている。複数の電子部品８１は、所定の組み合わせにより回路ブロック（図示せず）などを形成する。
【００３５】
主回路基板８０の長さは、シールドケース７０の全長の約半分であり、例えばシールドケース７０の全長の３０〜７０％であり、好ましくはシールドケースの４０〜６０％である。シールドケース７０の約半分の長さを有する主回路基板８０は、シールドケース７０における連結部４寄りの約半分の領域に配設される。従って、シールドケース７０における操作部側筐体２の連結部４とは反対側の約半分の領域には、主回路基板８０は配設されていない。
【００３６】
シールドケース７０は、主回路基板８０の上面８０ａ側に実装された複数の電子部品８１を覆う部材である。シールドケース７０は、導電性の部材からなり、主回路基板８０における回路ブロックを遮断するために設けられる。また、シールドケース７０は操作部側筐体２の強度を向上させる役目も果たす。
【００３７】
シールドケース７０の上面７０ａ側には、上面７０ａ側に起立する上面側リブ７１が設けられている。また、シールドケース７０の下面７０ｂ側には、下面７０ｂ側に起立する下面側リブ７３が形成されている。
シールドケース７０は、強度を確保する観点から金属から形成されていることが好ましいが、インサート成形により部分的に合成樹脂から形成することもできる。
シールドケース７０の詳細については後述する。
【００３８】
キー基板６０は、シールドケース７０の上面７０ａ側（操作部側筐体２の前面２ａ側）に積層配置され、複数のキースイッチ６１〜６３を有する。キー基板６０は、複数の絶縁層（絶縁フィルム）の間に配線を挟み込んで形成されているフレキシブル基板である。キー基板６０は、キー部材５０側に、キートップとしての機能設定操作キー１３、入力操作キー１４及び決定操作キー１５にそれぞれ対応して、複数のキースイッチ６１、６２、６３を備える。キースイッチ６１、６２、６３は、椀状に湾曲して立体的に形成された金属板のメタルドームを有する。メタルドームは、その椀状形状の頂点が押圧されると、キー基板６０の表面に印刷された電気回路（図示せず）に形成されるスイッチ端子に接触して、電気的に導通するように構成される。
【００３９】
キー部材５０は、キー基板６０に積層配置され、複数のキースイッチ６１、６２、６３を押圧可能な押し子と、操作面を有するキートップとが、弾性を有するシリコンなどで構成されたシートに設けられて構成されている。
キー部材５０は、シリコンゴム製の基体シート５１の表面に操作キー群１１のキートップが接着剤により貼り付けられて構成される。キー部材５０における操作キー群１１を構成する機能設定操作キー１３、入力操作キー１４及び決定操作キー１５は、キー基板６０におけるキースイッチ６１、６２、６３と対向する位置に配置されると共に、フロントケース２１に形成されるキー孔１３ａ、１４ａ、１５ａから露出するように配置される。
【００４０】
フロントケース２１における操作部側筐体２の前面２ａ側には、キー孔１３ａ、１４ａ、１５ａが形成されている。キー孔１３ａ、１４ａ、１５ａのそれぞれからは、機能設定操作キー１３の押圧面、入力操作キー１４の押圧面、及び決定操作キー１５の押圧面が露出する。この露出した機能設定操作キー１３の押圧面、入力操作キー１４の押圧面及び決定操作キー１５の押圧面を押し下げるように押圧することで、対応するキースイッチ６１、６２、６３それぞれに設けられるメタルドームにおける椀状形状の頂点は、押圧されて、スイッチ端子に接触して電気的に導通する。
【００４１】
フロントケース２１及びリアケース２２は操作部側筐体２の外面を形成する。フロントケース２１とリアケース２２とは、互いの凹状の内側面が向き合うように対向して配置され、互いの外周縁が重なり合うようにして結合される。また、フロントケース２１とリアケース２２との間には、キー部材５０、キー基板６０、シールドケース７０及び主回路基板８０が挟まれるようにして内蔵される。つまり、主回路基板８０を覆うようにしてシールドケース７０が積層配置され、また、シールドケース７０にキー基板６０が積層配置され、キー基板６０にキー部材５０が積層配置される。
【００４２】
リアケース２２の一端側には、その厚み方向（背面から前面に向かう方向）に貫通したバッテリ収納空間２３が形成されている。操作部側筐体２が形成された状態において、バッテリ収納空間２３における前面側（シールドケース７０の側）は、シールドケース７０の下面７０ｂによって封鎖される。また、バッテリ収納空間２３における背面側には、収納空間開口部２２ｂが形成され、この収納空間開口部２２ｂは、リアケース２２と取り外し可能な蓋部２４によって開放又は封鎖自在となっている。バッテリＱは、リアケース２２のバッテリ収納空間２３に、収納空間開口部２２ｂを通じて背面側から収納され、バッテリ収納空間２３が蓋部２４によって封鎖されることにより、操作部側筐体２に装着される。
【００４３】
主回路基板８０とバッテリＱとは、操作部側筐体２を平面視した状態（操作部側筐体２を厚み方向に視た状態）において互いに重なることなく、操作部側筐体２の長手方向に配列している。バッテリＱは、シールドケース７０の下面７０ｂにおける主回路基板８０が配置されていない領域に対向するように、積層して配置される。つまり、シールドケース７０におけるバッテリＱが位置する側に、主回路基板８０が積層している。
【００４４】
次に、シールドケース７０の詳細について説明する。図５に示すように、シールドケース７０は、その側縁の少なくとも一部に、フレームリブである下面側リブ７３を備えている。本実施形態においては、下面側リブ７３は、シールドケース７０の両側縁に設けられ、バッテリＱ側に起立している。
下面側リブ７３は、シールドケース７０の側縁に沿う第１の方向であるＸ方向に沿って延びている。本実施形態におけるＸ方向は、操作部側筐体２の長手方向でもある。
【００４５】
下面側リブ７３は、シールドケース７０の側縁の少なくとも一部に設けられていればよく、本実施形態においては、シールドケース７０におけるバッテリＱに近接する領域の全域に設けられている。また、下面側リブ７３は、例えば、シールドケース７０の側縁の全長の６０から１００％の長さを有している。
【００４６】
「バッテリＱに近接する」とは、バッテリＱと近い位置に配置していることを意味し、例えば、バッテリＱと当接している場合の他、バッテリＱとの間に他の部材が存在しないことや、バッテリＱとの間に薄い部材のみが存在していることを含む。下面側リブ７３は、全体としてＸ方向に沿っていればよく、例えば部分的に湾曲したり、屈曲していてもよい。
【００４７】
下面側リブ７３には、下面側リブ７３の一部がＸ方向と略垂直な第２の方向であるＹ方向であって、操作部側筐体２の外側方向に凸に湾曲して形成される湾曲部（凸部）７２が、バッテリＱに近接して形成されている。本実施形態におけるＹ方向は、操作部側筐体２の幅方向である。湾曲部７２は、その高さ方向（シールドケース７０の厚み方向）に視て、下面側リブ７３の途中から形成されており、シールドケース７０の下面７０ｂからは形成されていない。もちろん、湾曲部７２は、下面７０ｂに亘って形成されていてもよい。なお、湾曲部７２は、下面側リブ７３のみに設けられており、上面側リブ７１には設けられていない。
【００４８】
次に、フロントケース２１における湾曲部７２に関する構成について詳述する。図６に示すように、フロントケース２１におけるリアケース２２と対向する部位には、湾曲部７２に対応した位置に、肉盗み部２６が設けられている。具体的には、肉盗み部２６は、フロントケース２１の側壁２１ａが湾曲部７２に対応してＹ方向外側に凹むことにより、側壁２１ａの肉厚が薄くなされた部位である。
【００４９】
フロントケース２１の側壁２１ａにおける、リアケース２２との対向面は、肉盗み部２６以外の部分においては、図６（ｂ）及び図１１（ｂ）に示すように、側壁２１ａの最外縁部２１ｂがその内側の部分２１ｃよりも、リアケース２２から離れる方向に凹んだ段差を有している。
一方、フロントケース２１の側壁２１ａにおける、リアケース２２との対向面は、肉盗み部２６においては、図６（ｂ）及び図１０（ｂ）に示すように、側壁２１ａの最外縁部２１ｂがその内側の部分２１ｃよりも、リアケース２２に向けて突出した段差を有している。
【００５０】
フロントケース２１の側壁２１ａにおける最外縁部２１ｂは、肉盗み部２６においても、肉盗み部２６以外の部分においても同じ高さとなっている。従って、肉盗み部２６は、完全な切り欠きにはなっておらず、最外縁部２１ｂの部位において肉厚を有している。肉盗み部２６の深さ（Ｙ方向に沿う深さ）は、例えば０．２から１．０ｍｍである。肉盗み部２６以外の部分の側壁２１ａの厚みに対する肉盗み部２６の深さ（Ｙ方向の深さ）の比は、５から６０％である。
なお、本実施形態における肉盗み部２６は、肉厚を有しているが、肉厚を有していなくてもよい（つまり切り欠きや開口となっていてもよい）。
【００５１】
次に、リアケース２２における湾曲部７２に関連する構成について詳述する。図７に示すように、リアケース２２におけるフロントケース２１と対向する部位の少なくとも一部には、フロントケース２１に向けて起立する規制リブ２５が設けられている。詳述すると、リアケース２２の側壁２２ａには、バッテリ収納空間２３側の一部がＹ方向外側に凹んで形成される第２肉盗み部２７が設けられている。この第２肉盗み部２７におけるバッテリ収納空間２３側に、規制リブ２５がＸ方向に沿って延びるように起立している。つまり、規制リブ２５、第２肉盗み部２７及び側壁２２ａは、Ｙ方向内側から外側に向けて配列している。
【００５２】
規制リブ２５の長さ（Ｘ方向に沿う長さ）は、例えば１．０から８．０ｍｍである。規制リブ２５の厚み（Ｙ方向に沿う厚み）は、例えば０．５から１．０ｍｍである。規制リブ２５の高さは、例えば０．４から１．０ｍｍである。
【００５３】
次に、フロントケース２１とリアケース２２との結合形態について説明する。本実施形態の携帯電話機１においては、図８から図１１に示すように、規制リブ２５が湾曲部７２の内側に配置されると共に湾曲部７２が肉盗み部２６及び第２肉盗み部２７の内側に配置された状態で、フロントケース２１とリアケース２２とが結合される。換言すると、フロントケース２１とリアケース２２とが結合されるときには、規制リブ２５が湾曲部７２の内側に配置されると共に、湾曲部７２が肉盗み部２６及び第２肉盗み部２７の内側に配置される。フロントケース２１とリアケース２２との結合は、ネジ締結を主体としてなされる。
【００５４】
本実施形態の携帯電話機１によれば、以下に示す各効果が奏される。
本実施形態の携帯電話機１においては、フロントケース２１に肉盗み部２６が設けられ、リアケース２２に規制リブ２５が設けられている。そして、規制リブ２５が湾曲部７２の内側に配置されると共に湾曲部７２が肉盗み部２６の内側に配置された状態で、フロントケース２１とリアケース２２とが結合される。
【００５５】
そのため、携帯電話機１（特に操作部側筐体２）の幅狭化及び薄型化を図ることができると共に、フロントケース２１とリアケース２２との合わせ面に段差が生じる等の外観不良を防止することができる。即ち、湾曲部７２を形成することにより、その部分にも下面側リブ７３が設けることができるため、シールドケース７０の剛性を確保することができ、その結果、操作部側筐体２の薄型化を図ることができる。
【００５６】
また、湾曲部７２が肉盗み部２６の内側に配置されるため、湾曲部７２を設けても操作部側筐体２の幅を狭くすることができる。バッテリＱは一般的に筐体構成部品の中で最も幅が広い部品であるため、バッテリＱに近接して湾曲部７２を設けることは、特に効果的である。なお、フロントケース２１の剛性と比較して、シールドケース７０の剛性は十分に高いので、フロントケース２１に肉盗み部２６を設けることによって、操作部側筐体２全体の剛性が格別に低下することはない。
【００５７】
また、規制リブ２５が湾曲部７２の内側に配置されるため、規制リブ２５を備えたリアケース２２がフロントケース２１に対してＹ方向外側にズレにくい。そのため、両ケース２１，２２の合わせ面に段差が生じにくく、外観不良が発生しにくい。
【００５８】
また、バッテリＱと主回路基板８０とは、シールドケース７０を平面視した状態において互いに重なることなく配列しているため、操作部側筐体２全体の一層の薄型化を図ることができる。
【００５９】
以上、本発明の一実施形態について説明したが、本発明は前述した実施形態に制限されるものではなく、適宜変更が可能である。
例えば、湾曲部を有するフレーム部材は、前記実施形態においては、シールドケース７０であるが、これに制限されず、ノイズ等を遮断することを目的としない各種部材であってもよい。フレーム部材は枠体を主体として構成されていてもよい。
【００６０】
本発明は、前記実施形態においては操作部側筐体２に適用されているが、これに制限されず、例えば表示部側筐体３に適用することもできる。
前記実施形態においては、リアケース２２に規制リブ２５が設けられているが、これに制限されず、フロントケース２１に規制リブ２５が設けられていてもよい。
湾曲部７２に近接する第１構成部品は、前記実施形態においてはバッテリＱであるが、これに制限されない。
【００６１】
また、フロントケース２１及びリアケース２２それぞれに外側向けの爪及び内側向けの爪（図示せず）を設け、両爪を係合させて、両ケースの結合を補強する構造とすることができる。このような構造を有する場合には、内側向けの爪及び規制リブ２５を備えたリアケース２２は、Ｙ方向外側に広がりそうになったとしても、規制リブ２５がシールドケース７０の湾曲部７２に引っ掛かり、Ｙ方向外側への移動が規制される。その結果、内側向けの爪がＹ方向外側に広がることを防止することができ、延いては両爪が外れにくい効果が得られる。
【００６２】
前記実施形態における連結部４は、表示部側筐体３と操作部側筐体２とを開閉軸Ｐを中心に開閉可能に連結しているが、連結部４は、表示部側筐体３と操作部側筐体２とを開閉軸Ｐを中心に開閉可能に連結すると共に、開閉軸Ｐに直交する回動軸を中心に回動可能に連結するいわゆる２軸ヒンジ機構を備えていてもよい。
【００６３】
また、本発明の電子機器は、前記実施形態のような折り畳み式ではなく、操作部側筐体２と表示部側筐体３とを重ね合わせた状態から一方の筐体を一方向にスライドさせるようにしたスライド式の電子機器であってもよい。また、操作部側筐体２と表示部側筐体３との重ね合せ方向に沿う軸線を中心に一方の筐体を回転させるようにした回転式（リボルバ）の電子機器であってもよい。
【００６４】
本発明は、携帯電話機以外の携帯電子機器に適用することができ、また携帯電子機器以外の電子機器にも適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【００６５】
更に、携帯電子機器以外の電子機器としては、例えば、電子辞書、電卓、電子手帳、デジタルカメラ、ビデオカメラ、ラジオ等が挙げられるが、これらのみに限定されるものではない。
【図面の簡単な説明】
【００６６】
【図１】本発明の一実施形態の携帯電話機１について、操作部側筐体２と表示部側筐体３とを開いた状態で示す斜視図である。
【図２】図１に示す携帯電話機１を折り畳んだ状態で表示部側筐体３のリアケース３０ｂ側から視た斜視図である。
【図３】図１に示す操作部側筐体２の分解斜視図である。
【図４】フロントケース２１とリアケース２２とを分離させて、シールドケース７０の下面７０ｂ側を露出させた状態を示す分解斜視図である。
【図５】（ａ）は、シールドケース７０を下面７０ｂ側から視た斜視図であり、（ｂ）は、（ａ）に示すＢ矢視図である。
【図６】（ａ）は、フロントケース２１を内面側から視た斜視図であり、（ｂ）は、（ａ）に示すＢ矢視図である。
【図７】（ａ）は、リアケース２２を内面側から視た斜視図であり、（ｂ）は、（ａ）に示すＢ矢視図である。
【図８】フロントケース２１にシールドケース７０を組み合わせようとしている状態を示す斜視図である。
【図９】シールドケース７０が組み合わされたフロントケース２１に、リアケース２２を組み合わせようとしている状態を示す斜視図である。
【図１０】（ａ）は、規制リブ２５を通るように操作部側筐体２を厚み方向に切断した断面図であり、（ｂ）は、（ａ）の部分拡大図である。
【図１１】（ａ）は、規制リブ２５を通らないように操作部側筐体２を厚み方向に切断した断面図であり、（ｂ）は、（ａ）の部分拡大図である。
【符号の説明】
【００６７】
１  携帯電話機（電子機器）
２  操作部側筐体（筐体）
２０  筐体ケース
２１  フロントケース
２２  リアケース
２５  規制リブ
２６  肉盗み部
２７  第２肉盗み部
３  表示部側筐体
７０  シールドケース（フレーム部材）
７２  湾曲部（凸部）
７３  下面側リブ（フレームリブ）
８０  主回路基板（第１回路基板）
８１  電子部品
Ｑ  バッテリ（第１構成部品）
Ｘ  Ｘ方向（第１方向）
Ｙ  Ｙ方向（第２方向）
【図１】
2009182553.tif 000003
【図２】
2009182553.tif 000004
【図３】
2009182553.tif 000005
【図４】
2009182553.tif 000006
【図５】
2009182553.tif 000007
【図６】
2009182553.tif 000008
【図７】
2009182553.tif 000009
【図８】
2009182553.tif 000010
【図９】
2009182553.tif 000011
【図１０】
2009182553.tif 000012
【図１１】
2009182553.tif 000013